(57)【特許請求の範囲】
【請求項１】
複数のユーザの端末装置に対して、ネットワークを介して、本編ページにおいて使用する画像および寄せ書きページにおいて使用する寄せ書きメッセージをアップロードすることを前記複数のユーザに催促する催促情報を送付するアップロード催促部と、
前記複数のユーザの端末装置から、前記ネットワークを介して複数の画像を取得する画像取得部と、
前記複数のユーザの端末装置から、前記ネットワークを介して寄せ書きメッセージを取得するメッセージ取得部と、
前記アップロード催促部によって催促情報が送付されてから一定の期間が経過した後、前記メッセージ取得部によって取得された寄せ書きメッセージの数を算出するメッセージ数算出部と、
前記メッセージ数算出部によって算出された寄せ書きメッセージの数、および、１ページの寄せ書きページに配置する寄せ書きメッセージの上限数に応じて、前記寄せ書きページのページ数を１以上のページ数に設定するページ数設定部と、
前記本編ページと前記寄せ書きページとからなる合成画像を作成する合成画像作成部とを備え、
前記合成画像作成部は、前記メッセージ取得部によって取得された寄せ書きメッセージを用いて、前記ページ数設定部によって設定されたページ数の寄せ書きページを作成する寄せ書き作成部を備え、
前記寄せ書き作成部は、前記メッセージ数算出部によって算出された寄せ書きメッセージの数が、前記１ページの寄せ書きページに配置する寄せ書きメッセージの閾値と、前記ページ数設定部によって設定された寄せ書きページのページ数との積をとることによって算出される、前記ページ数設定部によって設定されたページ数の寄せ書きページにおいて使用する寄せ書きメッセージの閾値未満である場合に、前記メッセージ取得部によって取得された寄せ書きメッセージに加え、前記画像取得部によって取得された画像を用いて、前記寄せ書きページを作成する画像処理装置。
【請求項２】
前記ページ数設定部は、前記メッセージ数算出部によって算出された寄せ書きメッセージの数が、前記１ページの寄せ書きページに配置する寄せ書きメッセージの上限数と、前記ページ数設定部によって設定された寄せ書きページのページ数との積をとることによって算出される、前記設定したページ数の寄せ書きページにおいて使用する寄せ書きメッセージの上限数を超える場合に、前記メッセージ数算出部によって算出された寄せ書きメッセージの数に応じて、前記寄せ書きページのページ数を増やす請求項１に記載の画像処理装置。
【請求項３】
前記ページ数設定部は、前記メッセージ数算出部によって算出された寄せ書きメッセージの数が、前記設定したページ数の寄せ書きページにおいて使用する寄せ書きメッセージの閾値未満であり、かつ、前記寄せ書きページのページ数が２以上である場合に、前記メッセージ数算出部によって算出された寄せ書きメッセージの数に応じて、前記寄せ書きページのページ数を減らす請求項１または２に記載の画像処理装置。
【請求項４】
前記寄せ書き作成部は、前記メッセージ取得部によって取得された寄せ書きメッセージを、前記ページ数設定部によって設定された寄せ書きページのページ数に対応する数のグループに分割するメッセージ分割部と、
前記グループ毎に、前記グループに含まれる寄せ書きメッセージを用いて、前記グループに対応するページの寄せ書きページを作成するメッセージ配置部とを備える請求項１〜３のいずれか一項に記載の画像処理装置。
【請求項５】
前記メッセージ分割部は、前記メッセージ取得部によって取得された寄せ書きメッセージを、前記ページ数設定部によって設定された寄せ書きページのページ数に対応する数のグループに均等に分割する請求項４に記載の画像処理装置。
【請求項６】
前記寄せ書き作成部は、前記グループに含まれる寄せ書きメッセージの数が、前記１ページの寄せ書きページに配置する寄せ書きメッセージの閾値未満である場合に、前記グループに含まれる寄せ書きメッセージに加え、前記画像取得部によって取得された画像を用いて、前記グループに対応する寄せ書きページを作成する請求項５に記載の画像処理装置。
【請求項７】
前記寄せ書き作成部は、前記グループに含まれる寄せ書きメッセージの数が、前記１ページの寄せ書きページに配置する寄せ書きメッセージの上限数未満である場合に、前記グループに含まれる寄せ書きメッセージに加え、スタンプを用いて、前記グループに対応する寄せ書きページを作成する請求項５または６に記載の画像処理装置。
【請求項８】
前記メッセージ分割部は、前記メッセージ取得部によって取得された寄せ書きメッセージを、各々前記１ページの寄せ書きページに配置する上限数の寄せ書きメッセージを含む１以上の第１グループ、および、前記１ページの寄せ書きページに配置する閾値以上、かつ、上限数以下の寄せ書きメッセージを含む１つの第２グループからなる、前記ページ数設定部によって設定された寄せ書きページのページ数に対応する数のグループに分割する請求項４に記載の画像処理装置。
【請求項９】
前記寄せ書き作成部は、前記第２グループに含まれる寄せ書きメッセージの数が、前記１ページの寄せ書きページに配置する寄せ書きメッセージの上限数未満である場合に、前記第２グループに含まれる寄せ書きメッセージに加え、前記画像取得部によって取得された画像を用いて、前記第２グループに対応する寄せ書きページを作成する請求項８に記載の画像処理装置。
【請求項１０】
前記寄せ書き作成部は、前記第２グループに含まれる寄せ書きメッセージの数が、前記１ページの寄せ書きページに配置する寄せ書きメッセージの上限数未満である場合に、前記第２グループに含まれる寄せ書きメッセージに加え、スタンプを用いて、前記第２グループに対応する寄せ書きページを作成する請求項８または９に記載の画像処理装置。
【請求項１１】
前記画像取得部は、さらに、前記複数のユーザの端末装置から、前記複数のユーザの顔画像を取得し、
前記寄せ書き作成部は、前記ユーザ毎に、前記メッセージ取得部によって取得されたユーザの寄せ書きメッセージと、前記画像取得部によって取得された対応するユーザの顔画像とを組み合わせて前記寄せ書きページを作成する請求項１〜１０のいずれか一項に記載の画像処理装置。
【請求項１２】
さらに、前記複数のユーザの端末装置から、前記ネットワークを介して前記複数のユーザの名前を含むアカウント情報を取得して保存するアカウント情報保存部を備え、
前記寄せ書き作成部は、前記ユーザ毎に、前記メッセージ取得部によって取得されたユーザの寄せ書きメッセージと、前記アカウント情報保存部に保存された対応するユーザの名前とを組み合わせて前記寄せ書きページを作成する請求項１〜１１のいずれか一項に記載の画像処理装置。
【請求項１３】
さらに、前記複数のユーザのうちの少なくとも一人の第１ユーザの端末装置から、前記ネットワークを介して、前記第１ユーザによって設定された前記合成画像の予算の情報を取得する予算設定部と、
前記第１ユーザの端末装置から、前記ネットワークを介して、前記予算設定部によって取得された予算の情報に対応するサイズおよびページ数の１以上の画像商材の中から、前記第１ユーザによって設定された１つの画像商材を取得する商材取得部とを備え、
前記ページ数設定部は、さらに、前記商材取得部によって取得された１つの画像商材に対応する前記合成画像のページ数、および、前記１つの画像商材に対応する合成画像の寄せ書きページのページ数に応じて、前記１つの画像商材に対応する合成画像の本編ページのページ数を１以上のページ数に設定する請求項１〜１２のいずれか一項に記載の画像処理装置。
【請求項１４】
さらに、前記アップロード催促部によって催促情報が送付されてから一定の期間が経過した後、前記画像取得部によって取得された画像の数を算出する画像数算出部と、
前記画像数算出部によって算出された画像の数が、１ページの前記本編ページに配置する画像の下限数と、前記ページ数設定部によって設定された本編ページのページ数との積をとることによって算出される、前記ページ数設定部によって設定されたページ数の本編ページにおいて使用する画像の下限数未満である場合に、前記第１ユーザの端末装置に対して、前記ネットワークを介して、前記予算設定部によって取得された予算の情報に対応する１以上の画像商材の中から、前記画像数算出部によって算出された画像の数に応じて、前記１つの画像商材よりもサイズが小さい画像商材を提案するリコメンド部とを備える請求項１３に記載の画像処理装置。
【請求項１５】
さらに、前記アップロード催促部によって催促情報が送付されてから一定の時間が経過した後、前記画像取得部によって取得された画像の数を算出する画像数算出部と、
前記画像数算出部によって算出された画像の数が、１ページの前記本編ページに配置する画像の下限数と、前記ページ数設定部によって設定された本編ページのページ数との積をとることによって算出される、前記ページ数設定部によって設定されたページ数の本編ページにおいて使用する画像の下限数未満である場合に、前記第１ユーザの端末装置に対して、前記ネットワークを介して、前記予算設定部によって取得された予算の情報に対応する１以上の画像商材の中から、前記画像数算出部によって算出された画像の数に応じて、前記１つの画像商材よりもページ数が少ない画像商材を提案するリコメンド部とを備える請求項１３または１４に記載の画像処理装置。
【請求項１６】
さらに、前記アップロード催促部によって催促情報が送付されてから一定の期間が経過した後、前記画像取得部によって取得された画像の数を算出する画像数算出部と、
前記画像数算出部によって算出された画像の数が、１ページの前記本編ページに配置する画像の上限数と、前記ページ数設定部によって設定された本編ページのページ数との積をとることによって算出される、前記ページ数設定部によって設定されたページ数の本編ページにおいて使用する画像の上限数を超える場合に、前記第１ユーザの端末装置に対して、前記ネットワークを介して、前記予算設定部によって取得された予算の情報に対応する１以上の画像商材の中から、前記画像数算出部によって算出された画像の数に応じて、前記１つの画像商材よりもサイズが大きい画像商材を提案するリコメンド部とを備える請求項１３〜１５のいずれか一項に記載の画像処理装置。
【請求項１７】
さらに、前記アップロード催促部によって催促情報が送付されてから一定の時間が経過した後、前記画像取得部によって取得された画像の数を算出する画像数算出部と、
前記画像数算出部によって算出された画像の数が、１ページの前記本編ページに配置する画像の下限数と、前記ページ数設定部によって設定された本編ページのページ数との積をとることによって算出される、前記ページ数設定部によって設定されたページ数の本編ページにおいて使用する画像の下限数未満である場合に、前記第１ユーザの端末装置に対して、前記ネットワークを介して、前記予算設定部によって取得された予算の情報に対応する１以上の画像商材の中から、前記画像数算出部によって算出された画像の数に応じて、前記１つの画像商材よりもページ数が多い画像商材を提案するリコメンド部とを備える請求項１３〜１６のいずれか一項に記載の画像処理装置。
【請求項１８】
さらに、前記アップロード催促部によって催促情報が送付されてから一定の期間が経過した後、前記画像取得部によって取得された画像の数を算出する画像数算出部と、
前記画像数算出部によって算出された画像の数が、１ページの前記本編ページに配置する画像の下限数と、前記ページ数設定部によって設定された本編ページのページ数との積をとることによって算出される、前記ページ数設定部によって設定されたページ数の本編ページにおいて使用する画像の下限数未満である場合に、前記画像取得部によって取得された画像をトリミングして加工画像を作成するトリミング部と、
前記画像取得部によって取得された画像、および、前記トリミング部によって作成された加工画像を用いて、前記本編ページを作成する本編作成部とを備える請求項１３〜１７のいずれか一項に記載の画像処理装置。
【請求項１９】
さらに、前記アップロード催促部によって催促情報が送付されてから一定の期間が経過した後、前記画像取得部によって取得された画像の数を算出する画像数算出部と、
前記画像数算出部によって算出された画像の数が、１ページの前記本編ページに配置する画像の下限数と、前記ページ数設定部によって設定された本編ページのページ数との積をとることによって算出される、前記ページ数設定部によって設定されたページ数の本編ページにおいて使用する画像の下限数未満である場合に、前記複数のユーザの端末装置に対して、前記ネットワークを介して、前記合成画像において使用する追加の画像をリクエストするリクエスト部とを備える請求項１〜１８のいずれか一項に記載の画像処理装置。
【請求項２０】
さらに、前記アップロード催促部によって催促情報が送付されてから一定の期間が経過した後、前記画像取得部によって取得された画像の数を算出する画像数算出部と、
前記画像数算出部によって算出された画像の数が、１ページの前記本編ページに配置する画像の下限数と、前記ページ数設定部によって設定された本編ページのページ数との積をとることによって算出される、前記ページ数設定部によって設定されたページ数の本編ページにおいて使用する画像の下限数未満である場合に、前記複数のユーザの端末装置に対して、前記ネットワークを介して、前記合成画像において使用する各々の画像に付与するコメントをリクエストするリクエスト部とを備える請求項１〜１９のいずれか一項に記載の画像処理装置。
【請求項２１】
アップロード催促部が、複数のユーザの端末装置に対して、ネットワークを介して、本編ページにおいて使用する画像および寄せ書きページにおいて使用する寄せ書きメッセージをアップロードすることを前記複数のユーザに通知する催促情報を送付するステップと、
画像取得部が、前記複数のユーザの端末装置から、前記ネットワークを介して複数の画像を取得するステップと、
メッセージ取得部が、前記複数のユーザの端末装置から、前記ネットワークを介して寄せ書きメッセージを取得するステップと、
メッセージ数算出部が、前記アップロード催促部によって催促情報が送付されてから一定の期間が経過した後、前記メッセージ取得部によって取得された寄せ書きメッセージの数を算出するステップと、
ページ数設定部が、前記メッセージ数算出部によって算出された寄せ書きメッセージの数、および、１ページの寄せ書きページに配置する寄せ書きメッセージの上限数に応じて、前記寄せ書きページのページ数を１以上のページ数に設定するステップと、
合成画像作成部が、前記本編ページと前記寄せ書きページとからなる合成画像を作成するステップとを含み、
前記合成画像を作成するステップは、寄せ書き作成部が、前記メッセージ取得部によって取得された寄せ書きメッセージを用いて、前記ページ数設定部によって設定されたページ数の寄せ書きページを作成するステップを含み、
前記寄せ書きページを作成するステップは、前記メッセージ数算出部によって算出された寄せ書きメッセージの数が、前記１ページの寄せ書きページに配置する寄せ書きメッセージの閾値と、前記ページ数設定部によって設定された寄せ書きページのページ数との積をとることによって算出される、前記ページ数設定部によって設定されたページ数の寄せ書きページにおいて使用する寄せ書きメッセージの閾値未満である場合に、前記メッセージ取得部によって取得された寄せ書きメッセージに加え、前記画像取得部によって取得された画像を用いて、前記寄せ書きページを作成する画像処理方法。
【請求項２２】
請求項２１に記載の画像処理方法の各々のステップをコンピュータに実行させるためのプログラム。
【請求項２３】
請求項２１に記載の画像処理方法の各々のステップをコンピュータに実行させるためのプログラムが記録されたコンピュータ読み取り可能な記録媒体。
【発明の詳細な説明】
【技術分野】
【０００１】
本発明は、複数のユーザの端末装置からネットワークを介して取得された複数の画像を用いて、フォトブック等の合成画像を作成する画像処理装置、画像処理方法、プログラムおよび記録媒体に関するものである。
【背景技術】
【０００２】
フォトブックは、ユーザが所有する複数の画像（画像データ）を、インターネットを経由してサービス提供業者に送信し、送信した複数の画像を用いてユーザが希望するレイアウトの写真集を作成するサービスである。
【０００３】
フォトブックは、例えば、画像の連続性や関連性を考慮して、撮影時刻等に基づいて複数の画像を複数のグループに分類し、各々のグループに含まれる画像を各々対応するページに自動配置（自動レイアウト）することによって作成される。
【０００４】
近年では、一人のユーザが所有する複数の画像だけを用いてフォトブックを作成するだけでなく、複数のユーザが所有する複数の画像を用いて１つのフォトブックを作成するもの（特許文献１および２参照）、および、複数のユーザから寄せ書き用のメッセージを取得し、複数のユーザから取得した寄せ書きメッセージを用いて寄せ書きを作成するもの（特許文献３および４参照）等が知られている。
【先行技術文献】
【特許文献】
【０００５】
【特許文献１】特開２００８−２５７３０８号公報
【特許文献２】特開２０１５−０６９４３１号公報
【特許文献３】特開２００１−２９７０５１号公報
【特許文献４】特開２０１５−１３３０００号公報
【発明の概要】
【発明が解決しようとする課題】
【０００６】
特許文献１〜４には、複数のユーザが所有する複数の画像を用いて１つの合成画像を作成する場合に、本編ページだけでなく、寄せ書きページを含む合成画像を作成することは記載されていない。また、本編ページおよび寄せ書きページを含む合成画像において、寄せ書きページに配置する寄せ書きメッセージの数が不足する場合、寄せ書きページに空き領域が生じて、見栄えが悪いという問題点があった。
【０００７】
本発明の目的は、本編ページおよび寄せ書きページを含む合成画像において、寄せ書きメッセージの数が不足する場合でも、見栄えのよい寄せ書きページを作成することができる画像処理装置、画像処理方法、プログラムおよび記録媒体を提供することにある。
【課題を解決するための手段】
【０００８】
上記目的を達成するために、本発明は、複数のユーザの端末装置に対して、ネットワークを介して、本編ページにおいて使用する画像および寄せ書きページにおいて使用する寄せ書きメッセージをアップロードすることを複数のユーザに催促する催促情報を送付するアップロード催促部と、
複数のユーザの端末装置から、ネットワークを介して複数の画像を取得する画像取得部と、
複数のユーザの端末装置から、ネットワークを介して寄せ書きメッセージを取得するメッセージ取得部と、
アップロード催促部によって催促情報が送付されてから一定の期間が経過した後、メッセージ取得部によって取得された寄せ書きメッセージの数を算出するメッセージ数算出部と、
メッセージ数算出部によって算出された寄せ書きメッセージの数、および、１ページの寄せ書きページに配置する寄せ書きメッセージの上限数に応じて、寄せ書きページのページ数を１以上のページ数に設定するページ数設定部と、
本編ページと寄せ書きページとからなる合成画像を作成する合成画像作成部とを備え、
合成画像作成部は、メッセージ取得部によって取得された寄せ書きメッセージを用いて、ページ数設定部によって設定されたページ数の寄せ書きページを作成する寄せ書き作成部を備え、
寄せ書き作成部は、メッセージ数算出部によって算出された寄せ書きメッセージの数が、１ページの寄せ書きページに配置する寄せ書きメッセージの閾値と、ページ数設定部によって設定された寄せ書きページのページ数との積をとることによって算出される、ページ数設定部によって設定されたページ数の寄せ書きページにおいて使用する寄せ書きメッセージの閾値未満である場合に、メッセージ取得部によって取得された寄せ書きメッセージに加え、画像取得部によって取得された画像を用いて、寄せ書きページを作成する画像処理装置を提供するものである。
【０００９】
ここで、ページ数設定部は、メッセージ数算出部によって算出された寄せ書きメッセージの数が、１ページの寄せ書きページに配置する寄せ書きメッセージの上限数と、ページ数設定部によって設定された寄せ書きページのページ数との積をとることによって算出される、設定したページ数の寄せ書きページにおいて使用する寄せ書きメッセージの上限数を超える場合に、メッセージ数算出部によって算出された寄せ書きメッセージの数に応じて、寄せ書きページのページ数を増やすことが好ましい。
【００１０】
また、ページ数設定部は、メッセージ数算出部によって算出された寄せ書きメッセージの数が、設定したページ数の寄せ書きページにおいて使用する寄せ書きメッセージの閾値未満であり、かつ、寄せ書きページのページ数が２以上である場合に、メッセージ数算出部によって算出された寄せ書きメッセージの数に応じて、寄せ書きページのページ数を減らすことが好ましい。
【００１１】
また、寄せ書き作成部は、メッセージ取得部によって取得された寄せ書きメッセージを、ページ数設定部によって設定された寄せ書きページのページ数に対応する数のグループに分割するメッセージ分割部と、
グループ毎に、グループに含まれる寄せ書きメッセージを用いて、グループに対応するページの寄せ書きページを作成するメッセージ配置部とを備えることが好ましい。
【００１２】
また、メッセージ分割部は、メッセージ取得部によって取得された寄せ書きメッセージを、ページ数設定部によって設定された寄せ書きページのページ数に対応する数のグループに均等に分割することが好ましい。
【００１３】
また、寄せ書き作成部は、グループに含まれる寄せ書きメッセージの数が、１ページの寄せ書きページに配置する寄せ書きメッセージの閾値未満である場合に、グループに含まれる寄せ書きメッセージに加え、画像取得部によって取得された画像を用いて、グループに対応する寄せ書きページを作成することが好ましい。
【００１４】
また、寄せ書き作成部は、グループに含まれる寄せ書きメッセージの数が、１ページの寄せ書きページに配置する寄せ書きメッセージの上限数未満である場合に、グループに含まれる寄せ書きメッセージに加え、スタンプを用いて、グループに対応する寄せ書きページを作成することが好ましい。
【００１５】
また、メッセージ分割部は、メッセージ取得部によって取得された寄せ書きメッセージを、各々１ページの寄せ書きページに配置する上限数の寄せ書きメッセージを含む１以上の第１グループ、および、１ページの寄せ書きページに配置する閾値以上、かつ、上限数以下の寄せ書きメッセージを含む１つの第２グループからなる、ページ数設定部によって設定された寄せ書きページのページ数に対応する数のグループに分割することが好ましい。
【００１６】
また、寄せ書き作成部は、第２グループに含まれる寄せ書きメッセージの数が、１ページの寄せ書きページに配置する寄せ書きメッセージの上限数未満である場合に、第２グループに含まれる寄せ書きメッセージに加え、画像取得部によって取得された画像を用いて、第２グループに対応する寄せ書きページを作成することが好ましい。
【００１７】
また、寄せ書き作成部は、第２グループに含まれる寄せ書きメッセージの数が、１ページの寄せ書きページに配置する寄せ書きメッセージの上限数未満である場合に、第２グループに含まれる寄せ書きメッセージに加え、スタンプを用いて、第２グループに対応する寄せ書きページを作成することが好ましい。
【００１８】
画像取得部は、さらに、複数のユーザの端末装置から、複数のユーザの顔画像を取得し、
寄せ書き作成部は、ユーザ毎に、メッセージ取得部によって取得されたユーザの寄せ書きメッセージと、画像取得部によって取得された対応するユーザの顔画像とを組み合わせて寄せ書きページを作成することが好ましい。
【００１９】
さらに、複数のユーザの端末装置から、ネットワークを介して複数のユーザの名前を含むアカウント情報を取得して保存するアカウント情報保存部を備え、
寄せ書き作成部は、ユーザ毎に、メッセージ取得部によって取得されたユーザの寄せ書きメッセージと、アカウント情報保存部に保存された対応するユーザの名前とを組み合わせて寄せ書きページを作成することが好ましい。
【００２０】
さらに、複数のユーザのうちの少なくとも一人の第１ユーザの端末装置から、ネットワークを介して、第１ユーザによって設定された合成画像の予算の情報を取得する予算設定部と、
第１ユーザの端末装置から、ネットワークを介して、予算設定部によって取得された予算の情報に対応するサイズおよびページ数の１以上の画像商材の中から、第１ユーザによって設定された１つの画像商材を取得する商材取得部とを備え、
ページ数設定部は、さらに、商材取得部によって取得された１つの画像商材に対応する合成画像のページ数、および、１つの画像商材に対応する合成画像の寄せ書きページのページ数に応じて、１つの画像商材に対応する合成画像の本編ページのページ数を１以上のページ数に設定することが好ましい。
【００２１】
さらに、アップロード催促部によって催促情報が送付されてから一定の期間が経過した後、画像取得部によって取得された画像の数を算出する画像数算出部と、
画像数算出部によって算出された画像の数が、１ページの本編ページに配置する画像の下限数と、ページ数設定部によって設定された本編ページのページ数との積をとることによって算出される、ページ数設定部によって設定されたページ数の本編ページにおいて使用する画像の下限数未満である場合に、第１ユーザの端末装置に対して、ネットワークを介して、予算設定部によって取得された予算の情報に対応する１以上の画像商材の中から、画像数算出部によって算出された画像の数に応じて、１つの画像商材よりもサイズが小さい画像商材を提案するリコメンド部とを備えることが好ましい。
【００２２】
さらに、アップロード催促部によって催促情報が送付されてから一定の時間が経過した後、画像取得部によって取得された画像の数を算出する画像数算出部と、
画像数算出部によって算出された画像の数が、１ページの本編ページに配置する画像の下限数と、ページ数設定部によって設定された本編ページのページ数との積をとることによって算出される、ページ数設定部によって設定されたページ数の本編ページにおいて使用する画像の下限数未満である場合に、第１ユーザの端末装置に対して、ネットワークを介して、予算設定部によって取得された予算の情報に対応する１以上の画像商材の中から、画像数算出部によって算出された画像の数に応じて、１つの画像商材よりもページ数が少ない画像商材を提案するリコメンド部とを備えることが好ましい。
【００２３】
さらに、アップロード催促部によって催促情報が送付されてから一定の期間が経過した後、画像取得部によって取得された画像の数を算出する画像数算出部と、
画像数算出部によって算出された画像の数が、１ページの本編ページに配置する画像の上限数と、ページ数設定部によって設定された本編ページのページ数との積をとることによって算出される、ページ数設定部によって設定されたページ数の本編ページにおいて使用する画像の上限数を超える場合に、第１ユーザの端末装置に対して、ネットワークを介して、予算設定部によって取得された予算の情報に対応する１以上の画像商材の中から、画像数算出部によって算出された画像の数に応じて、１つの画像商材よりもサイズが大きい画像商材を提案するリコメンド部とを備えることが好ましい。
【００２４】
さらに、アップロード催促部によって催促情報が送付されてから一定の時間が経過した後、画像取得部によって取得された画像の数を算出する画像数算出部と、
画像数算出部によって算出された画像の数が、１ページの本編ページに配置する画像の下限数と、ページ数設定部によって設定された本編ページのページ数との積をとることによって算出される、ページ数設定部によって設定されたページ数の本編ページにおいて使用する画像の下限数未満である場合に、第１ユーザの端末装置に対して、ネットワークを介して、予算設定部によって取得された予算の情報に対応する１以上の画像商材の中から、画像数算出部によって算出された画像の数に応じて、１つの画像商材よりもページ数が多い画像商材を提案するリコメンド部とを備えることが好ましい。
【００２５】
さらに、アップロード催促部によって催促情報が送付されてから一定の期間が経過した後、画像取得部によって取得された画像の数を算出する画像数算出部と、
画像数算出部によって算出された画像の数が、１ページの本編ページに配置する画像の下限数と、ページ数設定部によって設定された本編ページのページ数との積をとることによって算出される、ページ数設定部によって設定されたページ数の本編ページにおいて使用する画像の下限数未満である場合に、画像取得部によって取得された画像をトリミングして加工画像を作成するトリミング部と、
画像取得部によって取得された画像、および、トリミング部によって作成された加工画像を用いて、本編ページを作成する本編作成部とを備えることが好ましい。
【００２６】
さらに、アップロード催促部によって催促情報が送付されてから一定の期間が経過した後、画像取得部によって取得された画像の数を算出する画像数算出部と、
画像数算出部によって算出された画像の数が、１ページの本編ページに配置する画像の下限数と、ページ数設定部によって設定された本編ページのページ数との積をとることによって算出される、ページ数設定部によって設定されたページ数の本編ページにおいて使用する画像の下限数未満である場合に、複数のユーザの端末装置に対して、ネットワークを介して、合成画像において使用する追加の画像をリクエストするリクエスト部とを備えることが好ましい。
【００２７】
さらに、アップロード催促部によって催促情報が送付されてから一定の期間が経過した後、画像取得部によって取得された画像の数を算出する画像数算出部と、
画像数算出部によって算出された画像の数が、１ページの本編ページに配置する画像の下限数と、ページ数設定部によって設定された本編ページのページ数との積をとることによって算出される、ページ数設定部によって設定されたページ数の本編ページにおいて使用する画像の下限数未満である場合に、複数のユーザの端末装置に対して、ネットワークを介して、合成画像において使用する各々の画像に付与するコメントをリクエストするリクエスト部とを備えることが好ましい。
【００２８】
また、本発明は、アップロード催促部が、複数のユーザの端末装置に対して、ネットワークを介して、本編ページにおいて使用する画像および寄せ書きページにおいて使用する寄せ書きメッセージをアップロードすることを複数のユーザに通知する催促情報を送付するステップと、
画像取得部が、複数のユーザの端末装置から、ネットワークを介して複数の画像を取得するステップと、
メッセージ取得部が、複数のユーザの端末装置から、ネットワークを介して寄せ書きメッセージを取得するステップと、
メッセージ数算出部が、アップロード催促部によって催促情報が送付されてから一定の期間が経過した後、メッセージ取得部によって取得された寄せ書きメッセージの数を算出するステップと、
ページ数設定部が、前記メッセージ数算出部によって算出された寄せ書きメッセージの数、および、１ページの寄せ書きページに配置する寄せ書きメッセージの上限数に応じて、前記寄せ書きページのページ数を１以上のページ数に設定するステップと、
合成画像作成部が、前記本編ページと前記寄せ書きページとからなる合成画像を作成するステップとを含み、
合成画像を作成するステップは、寄せ書き作成部が、メッセージ取得部によって取得された寄せ書きメッセージを用いて、ページ数設定部によって設定されたページ数の寄せ書きページを作成するステップを含み、
寄せ書きページを作成するステップは、メッセージ数算出部によって算出された寄せ書きメッセージの数が、１ページの寄せ書きページに配置する寄せ書きメッセージの閾値と、ページ数設定部によって設定された寄せ書きページのページ数との積をとることによって算出される、ページ数設定部によって設定されたページ数の寄せ書きページにおいて使用する寄せ書きメッセージの閾値未満である場合に、メッセージ取得部によって取得された寄せ書きメッセージに加え、画像取得部によって取得された画像を用いて、寄せ書きページを作成する画像処理方法を提供する。
【００２９】
また、本発明は、上記に記載の画像処理方法の各々のステップをコンピュータに実行させるためのプログラムを提供する。
【００３０】
また、本発明は、上記に記載の画像処理方法の各々のステップをコンピュータに実行させるためのプログラムが記録されたコンピュータ読み取り可能な記録媒体を提供する。
【発明の効果】
【００３１】
本発明では、寄せ書きページにおいて使用する寄せ書きメッセージの数が不足する場合に、寄せ書きメッセージだけでなく、本編ページにおいて使用する画像を用いて寄せ書きメッセージ作成することができる。これにより、本編ページおよび寄せ書きページを含むフォトブック等の合成画像において、寄せ書きメッセージの数が不足する場合であっても、見栄えのよい寄せ書きページを作成することができる。
【図面の簡単な説明】
【００３２】
【図１】本発明に係る画像処理装置の構成を表す一実施形態のブロック図である。
【図２】図１に示すサーバの構成を表す一実施形態のブロック図である。
【図３】図２に示す情報設定部の構成を表す一実施形態のブロック図である。
【図４】図２に示す情報管理部の構成を表す一実施形態のブロック図である。
【図５】図２に示すデータ取得部の構成を表す一実施形態のブロック図である。
【図６】図２に示すデータ解析部の構成を表す一実施形態のブロック図である。
【図７】図２に示す合成画像作成部の構成を表す一実施形態のブロック図である。
【図８】図７に示す本編作成部の構成を表す一実施形態のブロック図である。
【図９】図７に示す寄せ書き作成部の構成を表す一実施形態のブロック図である。
【図１０】図１に示すユーザの端末装置の構成を表す一実施形態のブロック図である。
【図１１】図１に示す画像処理装置の動作を表す一実施形態のフローチャートである。
【図１２】図１１に続く画像処理装置の動作を表す一実施形態のフローチャートである。
【図１３】図１２に続く画像処理装置の動作を表す一実施形態のフローチャートである。
【図１４】合成画像の予算を設定する画面を表す一例の概念図である。
【図１５】フォトブックの表紙ページのデザインを設定する画面を表す一例の概念図である。
【図１６】フォトブックの寄せ書きページのデザインを設定する画面を表す一例の概念図である。
【図１７】画像および寄せ書きメッセージの募集締切日を設定する画面を表す一例の概念図である。
【図１８】合成画像の作成期間を設定する画面を表す一例の概念図である。
【図１９】画像商品の配送日を設定する画面を表す一例の概念図である。
【図２０】画像商材および日程の情報を確認する画面を表す一例の概念図である。
【図２１】アカウント情報を入力する画面を表す一例の概念図である。
【図２２】幹事ユーザのログインと、画像商材および日程の情報の保存とが完了したことを表す画面を表す一例の概念図である。
【図２３】参加ユーザの端末装置へ送付する招待状を作成するための画面を表す一例の概念図である。
【図２４】招待状の内容を確認するための画面を表す一例の概念図である。
【図２５】招待状を参加ユーザの端末装置へ送付するための画面を表す一例の概念図である。
【図２６】受け取った招待状を表す画面を表す一例の概念図である。
【図２７】合成画像において使用される画像、画像の評価情報、寄せ書きメッセージ等を参加ユーザがアップロードする画面にアクセスするための共通パスワードを入力するための画面を表す一例の概念図である。
【図２８】新規な参加ユーザを登録するための画面を表す一例の概念図である。
【図２９】参加ユーザとして登録する名前および秘密のコトバを登録するための画面を表す一例の概念図である。
【図３０】参加ユーザがアップロードする画像を選択するための画面を表す一例の概念図である。
【図３１】２以上の参加ユーザの端末装置から送信された複数の画像の各々を評価するための画面を表す一例の概念図である。
【図３２】寄せ書きページがフォトブックの巻末に入ることを通知する画面を表す一例の概念図である。
【図３３】寄せ書きページにおいて使用する参加ユーザのプロフィール画像を設定するための画面を表す一例の概念図である。
【図３４】寄せ書きメッセージを入力するための画面を表す一例の概念図である。
【図３５】参加ユーザが入力した寄せ書きメッセージを確認するための画面を表す一例の概念図である。
【図３６】寄せ書きメッセージのアップロードが完了したことを表す画面を表す一例の概念図である。
【発明を実施するための形態】
【００３３】
以下に、添付の図面に示す好適実施形態に基づいて、本発明の画像処理装置、画像処理方法、プログラムおよび記録媒体を詳細に説明する。
【００３４】
図１は、本発明に係る画像処理装置の構成を表す一実施形態のブロック図である。同図に示す画像処理装置１０は、合成画像の作成に関わる複数のユーザの端末装置からネットワーク１６を介して取得された複数の画像を用いて、寄せ書きページを含むフォトブック等の合成画像を作成するものである。画像処理装置１０は、サーバ１２と、ネットワーク１６を介してサーバ１２に接続された複数のユーザの端末装置（クライアント）１４とを備えている。
【００３５】
サーバ１２は、端末装置１４からの指示に基づいて、合成画像を作成するための種々のデータ処理を行うものであり、例えば、デスクトップPC（Personal Computer：パーソナルコンピュータ）またはワークステーション等により構成される。
【００３６】
端末装置１４は、サーバ１２に対して各種の指示を与えて種々のデータ処理を行わせるものであり、例えば、スマートフォン、タブレットPCまたはノートPC等により構成される。
【００３７】
ネットワーク１６は、例えば、電話回線またはインターネット回線等であり、有線または無線によってサーバ１２と端末装置１４との間を相互に接続し、双方向の通信を可能とするものである。
【００３８】
図２は、図１に示すサーバの構成を表す一実施形態のブロック図である。同図に示すサーバ１２は、合成画像に関する各種の情報を設定する情報設定部１８と、合成画像の作成に関する各種の情報を管理する情報管理部２０と、合成画像において使用する各種のデータを取得するデータ取得部２２と、合成画像において使用する各種のデータを解析するデータ解析部２４と、合成画像を作成する合成画像作成部２６とを備えている。
【００３９】
以下の説明では、本編ページおよび寄せ書きページを含む合成画像の作成に関わる複数のユーザのうち、合成画像を作成する一人のユーザを幹事ユーザと表現し、幹事ユーザを含む２以上のユーザを参加ユーザと表現する。例えば、幹事が友人グループのうちの一人である場合などがこれに該当する。
ただし、別の実施態様において、写真店が幹事の代行を請け負う場合のように幹事自体は写真もメッセージも提供しないような場合は、参加ユーザの数には幹事ユーザの数は含まないものとする。
【００４０】
図３は、図２に示す情報設定部の構成を表す一実施形態のブロック図である。同図に示す情報設定部１８は、予算設定部２８と、商材取得部３０と、表紙デザイン設定部３２と、寄せ書きデザイン設定部３４と、日程設定部３６とを備えている。
【００４１】
予算設定部２８は、幹事ユーザによって設定された合成画像の予算の情報を、ネットワーク１６を介して、幹事ユーザの端末装置１４から取得するものである。
【００４２】
続いて、商材取得部３０は、予算設定部２８によって取得された予算の情報に対応するサイズおよびページ数の１以上の画像商材（画像商材の情報）の中から、幹事ユーザによって設定された１つの画像商材を、ネットワーク１６を介して、幹事ユーザの端末装置１４から取得するものである。
【００４３】
画像商材は、画像商品を作成するための素材であり、例えば、フォトブック等のフォトアルバム、シャッフルプリント、画像付きカレンダ等を含む。画像は主に写真である。
また、画像商材には、各々サイズおよびページ数のうちの少なくとも一方が異なる複数種類の画像商材が含まれる。画像商材のページ数は、本編ページおよび寄せ書きページを含むページ数である。画像商品には、紙媒体の画像商品および電子データの画像商品が含まれる。
本発明にいうページとは、画像配置および寄せ書き配置を行う単位をいう。本実施形態においては、見開きページのことを指す。しかし他の実施形態においては片面ページであってもよい。また、本実施形態内の画像処理装置の内部では見開きページを単位とし、かつユーザには片面ページを単位として画像商材のページ数を表示することとしてもよい。
【００４４】
フォトブックは、例えば、ユーザが選択した複数の画像を、ユーザの所望のレイアウトで複数のページに配置した合成画像である。フォトブックはまた、ユーザが保有する所望の期間（例えば一年分）の画像から、自動選択により選択された画像を、自動レイアウトで複数のページに配置した合成画像であってもよい（例えば富士フイルム株式会社製のイヤーアルバム）。また、シャッフルプリントは、複数の画像をシャッフルして１枚のプリントに配置した合成画像である。画像付きカレンダは、例えば、各月のカレンダに対応する画像を配置した合成画像である。
【００４５】
本実施形態の場合、合成画像は、寄せ書きページを巻末に含むフォトブックである。寄せ書きページは、参加ユーザの端末装置１４から取得された２以上の参加ユーザの寄せ書きメッセージが配置された合成画像である。寄せ書きメッセージは、寄せ書きページにおいて使用される参加ユーザのメッセージである。
また、寄せ書きメッセージに加えて、プロフィール画像を寄せ書きページに配置してもよい。プロフィール画像は、例えば、参加ユーザの顔画像であるが、その他の画像でもよい。
【００４６】
続いて、表紙デザイン設定部３２は、１以上の表紙ページのデザインの中から、幹事ユーザによって設定された１つの表紙ページのデザインの情報を、ネットワーク１６を介して、幹事ユーザの端末装置１４から取得するものである。
【００４７】
表紙ページのデザインの情報には、例えば、表紙ページの模様、表紙ページに描かれているイラスト等のデザインの情報の他、表紙ページに記載される合成画像のタイトルの情報、表紙ページの色の情報等が含まれる。
【００４８】
続いて、寄せ書きデザイン設定部３４は、１以上の寄せ書きページのデザインの中から、幹事ユーザによって設定された１つの寄せ書きページのデザインの情報を、ネットワーク１６を介して、幹事ユーザの端末装置１４から取得するものである。
【００４９】
寄せ書きページのデザインの情報には、例えば、参加ユーザのプロフィール画像および寄せ書きメッセージを寄せ書きページに配置する位置および大きさ等があらかじめ設定されたテンプレートの情報等を含む。
【００５０】
続いて、日程設定部３６は、幹事ユーザによって設定された画像および寄せ書きメッセージの募集締切日、合成画像の作成期間、および、画像商品の配送日を含む日程の情報を、ネットワーク１６を介して、幹事ユーザの端末装置１４から取得するものである。
【００５１】
画像および寄せ書きメッセージの募集締切日は、参加ユーザが画像および寄せ書きメッセージをアップロード（投稿）することができる期限、つまり、画像処理装置１０が参加ユーザの端末装置１４から画像および寄せ書きメッセージを取得することができる期限を表す。
また、合成画像の作成期間は、幹事ユーザが、複数のユーザの端末装置１４から取得された複数の画像を用いて合成画像を作成するための期間、言い換えると、画像商品を注文する期限を表し、画像商品の配送日は、画像商品を配送する日付を表す。
【００５２】
続いて、図４は、図２に示す情報管理部の構成を表す一実施形態のブロック図である。同図に示す情報管理部２０は、設定保存部３８と、アカウント情報保存部４０と、管理画面情報送付部４２と、アップロード催促部４４とを備えている。
【００５３】
設定保存部３８は、商材取得部３０によって取得された画像商材、および、日程設定部３６によって取得された日程の情報を保存するものである。
【００５４】
続いて、アカウント情報保存部４０は、幹事ユーザによって設定された幹事ユーザのアカウント情報を、ネットワーク１６を介して、幹事ユーザの端末装置１４から取得するものである。また、アカウント情報保存部４０は、参加ユーザによって設定された参加ユーザのアカウント情報を、ネットワーク１６を介して、参加ユーザの端末装置１４から取得して保存する。
【００５５】
例えば、幹事ユーザのアカウント情報は、幹事ユーザのメールアドレスおよび幹事パスワードである。一方、参加ユーザのアカウント情報は、参加ユーザの名前および個別パスワード（参加ユーザに対しては図２９にあるように「秘密のコトバ」と表示される）である。参加ユーザの名前は、幹事ユーザが参加ユーザを管理するために使用され、個別パスワードは、画像処理装置１０が参加ユーザを特定するために使用される。本実施形態の場合、秘密のコトバは、後から変更および再発行はできないものとする。
【００５６】
続いて、管理画面情報送付部４２は、幹事ユーザが、画像商材および日程等を管理する管理画面にアクセスするためのURL（Uniform Resource Locator）を含むメッセージを、ネットワーク１６を介して、幹事ユーザの端末装置１４に送付するものである。幹事ユーザは、管理画面から画像商材および日程の変更の他、幹事ユーザの変更、幹事ユーザの追加（例えば後述する副幹事の追加）等を行うことができる。
【００５７】
管理画面情報送付部４２は、例えば、電子メールにより、管理画面にアクセスするためのURLを含むメッセージを、アカウント情報保存部４０によって取得された幹事ユーザのメールアドレスに送付する。
【００５８】
続いて、アップロード催促部４４は、幹事ユーザによって作成された招待状を、ネットワーク１６を介して、参加ユーザの端末装置１４へ送付するものである。
【００５９】
招待状は、参加ユーザを合成画像の作成に招待し、合成画像において使用される画像、各々の画像に対する評価情報、プロフィール画像および寄せ書きメッセージ等をアップロードすることを参加ユーザに催促する催促情報である。
【００６０】
アップロード催促部４４は、招待状を、例えば、SNS（Social Networking Service：ソーシャルネットワーキングサービス）のメッセージ、または、電子メールによって参加ユーザの端末装置１４に送付する。
【００６１】
続いて、図５は、図２に示すデータ取得部の構成を表す一実施形態のブロック図である。同図に示すデータ取得部２２は、画像取得部４６と、評価情報取得部４８と、メッセージ取得部５０とを備えている。
【００６２】
画像取得部４６は、一定の期間、本実施形態の場合、招待状が送付されてから、日程設定部３６によって設定された画像および寄せ書きメッセージの募集締切日までの期間、２以上の参加ユーザの端末装置１４からネットワーク１６を介して送信された複数の画像（画像群）を取得するものである。また、画像取得部４６は、各々の参加ユーザによって設定された参加ユーザのプロフィール画像を取得する。
【００６３】
続いて、評価情報取得部４８は、同じく一定の期間、２以上の参加ユーザによって付与された各々の画像に対する評価を表す評価情報を、ネットワーク１６を介して、２以上の参加ユーザの端末装置１４から取得するものである。
【００６４】
画像の評価情報は、各々の画像に対する各々の参加ユーザの評価、例えば、高評価または低評価を表す情報である。
【００６５】
続いて、メッセージ取得部５０は、同じく一定の期間、各々の参加ユーザによってアップロードされた寄せ書きメッセージを、ネットワーク１６を介して、各々の参加ユーザの端末装置１４から取得するものである。
【００６６】
続いて、図６は、図２に示すデータ解析部の構成を表す一実施形態のブロック図である。同図に示すデータ解析部２４は、画像数算出部５２と、評価数算出部５４と、メッセージ数算出部５６と、画像解析部５８と、評価値算出部６０とを備えている。
【００６７】
画像数算出部５２は、アップロード催促部４４によって招待状が送付されてから一定の期間が経過した後、つまり、画像および寄せ書きメッセージの募集締切日が過ぎた後、画像取得部４６によって取得された画像の数を算出するものである。
【００６８】
続いて、評価数算出部５４は、同じく画像および寄せ書きメッセージの募集締切日が過ぎた後、評価情報取得部４８によって取得された高評価および低評価を表す評価情報の数を算出するものである。
【００６９】
続いて、メッセージ数算出部５６は、同じく画像および寄せ書きメッセージの募集締切日が過ぎた後、メッセージ取得部５０によって取得された寄せ書きメッセージの数を算出するものである。
【００７０】
続いて、画像解析部５８は、画像取得部４６によって取得された各々の画像の内容を解析するものである。本実施形態の場合、画像解析部５８は、画像取得部４６によって画像が取得される毎に、画像解析を行う。
【００７１】
画像解析部５８は、例えば、画像の明るさや色合い、ボケおよびブレの程度等の解析の他、画像に人物の顔が含まれる場合には、顔の大きさ、顔の位置、顔の向き、顔の肌色、笑顔等の表情、目線、画像に含まれる人物の数、人物の位置関係等の解析を行う。
【００７２】
続いて、評価値算出部６０は、画像解析部５８による各々の画像の解析結果に基づいて、各々の画像の解析評価値を算出するものである。また、評価値算出部６０は、評価情報取得部４８によって取得された各々の画像に対する高評価および低評価を表す評価情報に基づいて、各々の画像の解析評価値に対して値を加減算ないしは重み付けして、各々の画像の総合評価値を算出する。
【００７３】
評価値算出部６０は、例えば、評価数算出部５４によって算出された高評価を表す評価情報の数に基づいて、画像の解析評価値に対して値を加算し、低評価を表す評価情報の数に基づいて、画像の解析評価値に対して値を減算することによって画像の総合評価値を算出することができる。
【００７４】
画像の解析評価値は、画像の解析結果に基づいて算出されるため、画像の良し悪しを決定するための基準となり、解析評価値が高いほど、画質の良い画像であると言える。
画像の総合評価値は、画像の解析結果に加えて、参加ユーザによって付与された高評価および低評価を表す評価情報に基づいて算出されるため、画像の良し悪しに加えて、参加ユーザの好みを判断するための基準となり、総合評価値が高いほど、画質の良い画像、または、参加ユーザの好みの画像であると言える。
【００７５】
続いて、図７は、図２に示す合成画像作成部の構成を表す一実施形態のブロック図である。同図に示す合成画像作成部２６は、表紙作成部６２と、ページ数設定部７２と、リコメンド部７４と、リクエスト部７６と、本編作成部６４と、寄せ書き作成部６６とを備えている。
【００７６】
表紙作成部６２は、設定保存部３８に保存された商材の情報、および、表紙デザイン設定部３２によって取得された表紙ページのデザインの情報に対応するデザインの表紙ページを作成するものである。
【００７７】
続いて、ページ数設定部７２は、メッセージ数算出部５６によって算出された寄せ書きメッセージの数、および、（見開き）１ページの寄せ書きページに配置する寄せ書きメッセージの上限数に応じて、寄せ書きページの（見開き）ページ数を１以上のページ数に設定するものである。また、ページ数設定部７２は、設定保存部３８に保存された商材の情報に対応する合成画像のページ数、および、この商材の情報に対応する合成画像の寄せ書きページのページ数に応じて、本編ページのページ数を１以上のページ数に設定する。
【００７８】
本実施形態の場合、参加ユーザの人数ｎを２〜３６、１ページの寄せ書きページに配置する寄せ書きメッセージの閾値ｎtを８、上限数ｎｕを１２とし、ページ数ｐが１６のフォトブックを作成する。この場合、アップロード催促部４４によって招待状が送付された参加ユーザの人数ｎが３６であれば、寄せ書きページのページ数ｐｍは、ｎ（＝３６）を、１ページの寄せ書きページに配置する寄せ書きメッセージの上限数であるｎｕ（＝１２）により除してｐｍ＝ｎ／ｎｕ＝３となる。また、本編ページのページ数ｐｐは、ページ数ｐ（＝１６）から、寄せ書きページのページ数であるｐｍ（＝３）を減算してｐｐ＝ｐ−ｐｍ＝１３となる。
【００７９】
また、上記の場合、ページ数設定部７２によって設定されたページ数の寄せ書きページにおいて使用するメッセージの閾値ｎｔａｌｌは、１ページの寄せ書きページに配置する寄せ書きメッセージの閾値のｎｔ（＝８）と、ページ数設定部７２によって設定された寄せ書きページのページ数であるｐｍ（＝３）との積をとってｎｔａｌｌ＝ｎｔ×ｐｍ＝２４であると算出される。一方、ページ数設定部７２によって設定されたページ数の寄せ書きページにおいて使用する画像の上限数ｎｕａｌｌは、１ページの寄せ書きページに配置する寄せ書きメッセージの上限数のｎｕ（＝１２）と、ページ数設定部７２によって設定された寄せ書きページのページ数であるｐｍ（＝３）との積をとってｎｕａｌｌ＝ｎｕ×ｐｍ＝３６であると算出される。
【００８０】
招待状が送付された参加ユーザの人数ｎが３６であったが、締切後に実際に寄せられたメッセージの数ｎｒが３７であったとする。この場合は、参加ユーザの設定上限を超えているので、エラーとなる。もっとも、実施形態によっては、上限を増やすことができることとしてもよい。
【００８１】
招待状が送付された参加ユーザの人数ｎが３６であったが、締切後に実際に寄せられたメッセージの数ｎｒが２４であったとする。この場合は、寄せ書きページのページ数ｐｍは、ｎｒ（＝２４）を、１ページの寄せ書きページに配置する寄せ書きメッセージの上限数であるｎｕ（＝１２）により除してｐｍ＝ｎｒ／ｎｕ＝２となる。そしてページ数設定部７２によって設定されたページ数の寄せ書きページにおいて使用する画像メッセージの閾値ｎｔａｌｌは、１ページの寄せ書きページに配置する寄せ書きメッセージの閾値のｎｔ（＝８）と、ページ数設定部７２によって設定された寄せ書きページのページ数であるｐｍ（＝２）との積をとってｎｔａｌｌ＝ｎｔ×ｐｍ＝１６であると算出される。ｎｒ≧ｎｔａｌｌであるから、この場合、寄せ書きページには画像取得部４６によって取得された画像を用いない。
【００８２】
一方、招待状が送付された参加ユーザの人数ｎが３６であったが、締切後に実際に寄せられたメッセージの数ｎｒが１４であったとする。この場合は、寄せ書きページのページ数ｐｍは、ｎｒ（＝１４）を、１ページの寄せ書きページに配置する寄せ書きメッセージの上限数であるｎｕ（＝１２）により除して切り上げ、ｐｍ＝ｃｅｉｌ（ｎｒ／ｎｕ）＝２となる。そしてページ数設定部７２によって設定されたページ数の寄せ書きページにおいて使用する画像メッセージの閾値ｎｔａｌｌは、１ページの寄せ書きページに配置する寄せ書きメッセージの閾値のｎｔ（＝８）と、ページ数設定部７２によって設定された寄せ書きページのページ数であるｐｍ（＝２）との積をとってｎｔａｌｌ＝ｎｔ×ｐｍ＝１６であると算出される。ｎｒ＜ｎｔａｌｌであるから、この場合、いずれかの寄せ書きページに、画像取得部４６によって取得された画像を用いることとなる。
【００８３】
なお、本実施態様では、ｎｒ≧ｎｔａｌｌの場合は、寄せ書きページには画像取得部４６によって取得された画像を用いないこととしている。しかし、本発明の趣旨に照らせば、少なくともｎｒ＜ｎｔａｌｌの場合に画像取得部４６によって取得された画像を用いればよく、実施態様によっては、ｎｒ≧ｎｔａｌｌの場合に画像取得部４６によって取得された画像を用いても構わない。
【００８４】
なお、１ページの寄せ書きページに配置する寄せ書きメッセージの閾値および上限数は特には限定されないが、その閾値は、例えば、上限値の半分ないし４分の３（上限値が１２の場合は６ないし８）のうちのいずれかの数とすることが好ましい。上限数は、寄せ書きメッセージの文字のサイズ等に応じて適宜決定することができる。
【００８５】
リコメンド部７４は、画像数算出部５２によって算出された画像の数が、ページ数設定部７２によって設定されたページ数の本編ページにおいて使用する画像の下限数未満であるまたは上限数を超える場合に、幹事ユーザの端末装置１４に対して、ネットワーク１６を介して、予算設定部２８によって取得された予算の情報に対応する１以上の画像商材の中から、画像数算出部５２によって算出された画像の数に応じて、設定保存部３８に保存された商材の情報に対応する画像商材とは異なる画像商材を提案するものである。
【００８６】
同様に、ページ数設定部７２によって設定されたページ数の本編ページにおいて使用する画像の下限数は、１ページの本編ページに配置する画像の下限数と、ページ数設定部７２によって設定された本編ページのページ数との積をとることによって算出することができる。また、ページ数設定部７２によって設定されたページ数の本編ページにおいて使用する画像の上限数は、１ページの本編ページに配置する画像の上限数と、ページ数設定部７２によって設定された本編ページのページ数との積をとることによって算出することができる。
【００８７】
リコメンド部７４は、例えば、電子メールにより、提案する画像商材を、幹事ユーザのメールアドレスに送付する。
【００８８】
続いて、リクエスト部７６は、画像数算出部５２によって算出された画像の数が、ページ数設定部７２によって設定されたページ数の本編ページにおいて使用する画像の下限数未満である場合に、参加ユーザの端末装置１４に対して、ネットワーク１６を介して、合成画像において使用する追加の画像、および、合成画像において使用する各々の画像に付与するコメントのうちの少なくとも一方をリクエストするものである。
【００８９】
リクエスト部７６は、例えば、電子メールにより、リクエストするメッセージを、参加ユーザのメールアドレスに送付する。
【００９０】
続いて、本編作成部６４は、画像取得部４６によって取得された複数の画像を用いて、ページ数設定部７２によって設定されたページ数の本編ページ（表紙ページおよび寄せ書きページ以外のページ）を作成するものである。本編作成部６４は、設定保存部３８に保存された商材の情報に対応する合成画像、本実施形態の場合、フォトブックの本編ページを作成する。
【００９１】
本編作成部６４は、図８に示すように、画像分割部７８、画像抽出部８０、画像配置部８２およびトリミング部８４等を備えている。
【００９２】
画像分割部７８は、画像取得部４６によって取得された複数の画像を、ページ数設定部７２によって設定された本編ページのページ数に対応する数のグループに分割するものである。
【００９３】
画像抽出部８０は、画像のグループ毎に、画像の総合評価値に基づいて、グループに含まれる画像の中から、本編ページにおいて使用する複数の合成対象画像を抽出するものである。
【００９４】
画像配置部８２は、画像のグループ毎に、画像の総合評価値に基づいて、画像抽出部８０によって抽出された各々の合成対象画像のサイズおよび本編ページにおける配置位置を決定し、合成対象画像を、画像のグループに対応するページの本編ページに配置（自動レイアウト）するものである。
【００９５】
トリミング部８４は、画像数算出部５２によって算出された画像の数が、ページ数設定部７２によって設定されたページ数の本編ページにおいて使用する画像の下限数未満である場合に、画像取得部４６によって取得された画像をトリミングして加工画像を作成するものである。
【００９６】
続いて、寄せ書き作成部６６は、メッセージ取得部５０によって取得された参加ユーザのプロフィール画像および寄せ書きメッセージを用いて、ページ数設定部７２によって設定されたページ数の寄せ書きページを作成するものである。寄せ書き作成部６６は、設定保存部３８に保存された商材の情報、および、寄せ書きデザイン設定部３４によって取得された寄せ書きのデザインの情報に対応するデザインの寄せ書きページを作成する。
【００９７】
寄せ書き作成部６６は、図９に示すように、メッセージ分割部８６、メッセージ配置部８８および画像抽出部９０等を備えている。
【００９８】
メッセージ分割部８６は、メッセージ取得部５０によって取得された寄せ書きメッセージを、ページ数設定部７２によって設定された寄せ書きページのページ数に対応する数のグループに分割するものである。
【００９９】
メッセージ配置部８８は、寄せ書きメッセージのグループ毎に、グループに含まれる寄せ書きメッセージを、寄せ書きメッセージのグループに対応するページの寄せ書きページに配置するものである。
【０１００】
画像抽出部９０は、メッセージ数算出部５６によって算出された寄せ書きメッセージの数が、ページ数設定部７２によって設定されたページ数の寄せ書きページにおいて使用する寄せ書きメッセージの閾値未満である場合に、画像取得部４６によって取得された複数の画像の中から、各々の画像の総合評価値に基づいて、寄せ書きページの空き領域に配置するために必要な数の画像（抽出画像）を抽出するものである。
【０１０１】
上記情報設定部１８、情報管理部２０、データ取得部２２、データ解析部２４、合成画像作成部２６を構成する各部位は、例えば、CPU（Central Processing Unit：中央処理装置）等の制御デバイスが、メモリにロードされたプログラムを実行することにより実現される。また、各部位によって保存されるデータは、例えば、HDD（Hard Disk Drive：ハードディスクドライブ）、SSD（Solid State Drive：ソリッドステートドライブ）、SD（Secure Digital：セキュアデジタル）メモリ等の記憶デバイスに保存される。
【０１０２】
次に、図１０は、図１に示すユーザの端末装置の構成を表す一実施形態のブロック図である。同図に示すユーザの端末装置１４は、画像表示部６８と、指示入力部７０とを備えている。
【０１０３】
端末装置１４において、画像表示部６８は、各種の設定画面、選択画面、確認画面、入力画面、作成画面等を表示するものであり、例えば、液晶ディスプレイ等の表示デバイスによって構成される。
【０１０４】
続いて、指示入力部７０は、ユーザによって入力された各種の設定指示、選択指示、確認指示、入力指示、作成指示等を取得するものであり、例えば、キーボードおよびマウス等の入力デバイスによって構成される。
【０１０５】
本実施形態の場合、画像表示部６８および指示入力部７０は、タッチパネル等のように、表示デバイスおよび入力デバイスが一体化されたデバイスによって構成される。
【０１０６】
端末装置１４は、合成画像の作成に関わる各々のユーザに１対１に対応して１台である必要はなく、画像処理装置１０における各々のユーザのアカウントに対応することができるものであれば、各々のユーザに対応して複数台であってもよい。
【０１０７】
図示省略しているが、サーバ１２および端末装置１４は、例えば、サーバ１２と端末装置１４との間で各種データの送受信を行う通信デバイス等である送受信部、各部位の動作を制御するCPU等である制御部等を備えている。
【０１０８】
次に、図１１〜図１３に示すフローチャートおよび図１４〜図３６に示す表示画面を参照しながら、画像処理装置１０の動作を説明する。
【０１０９】
合成画像を作成する場合、まず、幹事ユーザは、幹事ユーザの端末装置１４において、指示入力部７０を介して、画像処理装置１０が提供する、合成画像を作成するためのウェブサイトにアクセスする。
【０１１０】
合成画像を作成するためのウェブサイトにアクセスすると、図１４に示すように、予算設定部２８により、合成画像の予算を設定する画面が、幹事ユーザの端末装置１４の画像表示部６８に表示される。
【０１１１】
幹事ユーザは、合成画像の予算を設定する画面において、指示入力部７０を介して、幹事ユーザが作成する合成画像の予算を設定する。図１４の例では、プルダウンメニューによって、合成画像の予算の一覧があらかじめ登録されている。幹事ユーザは、プルダウンメニューに登録されている合成画像の予算の一覧の中から１つの予算、例えば、３０００円〜４０００円を選択して設定する。
【０１１２】
合成画像の予算が設定されると、予算設定部２８により、幹事ユーザによって設定された合成画像の予算の情報が、幹事ユーザの端末装置１４から取得される（ステップS1）。
【０１１３】
続いて、商材取得部３０により、予算の情報に対応する１以上の画像商材が提示される。図１４の例では、画像商材として、サイズおよびページ数の異なる５件のフォトブックが提示される。
【０１１４】
画像商材が提示されると、商材取得部３０により、提示した１以上の画像商材の中から１つの画像商材を設定する画面が、幹事ユーザの端末装置１４の画像表示部６８に表示される。
【０１１５】
幹事ユーザは、画像商材を設定する画面において、指示入力部７０を介して、提示された１以上の画像商材の中から１つの画像商材を選択して設定する。図１４の例では、A4サイズの１６ページのフォトブックが設定されている。
【０１１６】
画像商材としてフォトブックが設定された後、「次へ」のボタンが押されると、例えば、「次へ」のボタンがタップまたはクリックされると、商材取得部３０により、幹事ユーザによって設定された１つの画像商材が取得される（ステップS2）。
【０１１７】
なお、「＜」のボタンが押されると、１つ前の画面に戻ることができる。これ以後の画面においても同様である。
【０１１８】
続いて、図１５に示すように、表紙デザイン設定部３２により、フォトブックの表紙ページのデザインを設定する画面が、幹事ユーザの端末装置１４の画像表示部６８に表示される。
【０１１９】
幹事ユーザは、表紙ページのデザインを設定する画面において、指示入力部７０を介して、１以上の表紙ページのデザイン、図１５の例では、３件の表紙ページのデザインの中から、１つの表紙ページのデザインを選択して設定する。また、幹事ユーザは、フォトブックの表紙ページのデザインの情報として、例えば、表紙ページに記載される最大２０文字までのフォトブックのタイトル、および、表紙ページの色を設定することができる。
【０１２０】
表紙ページのデザインが設定された後、「次へ」のボタンが押されると、表紙デザイン設定部３２により、幹事ユーザによって設定された表紙ページのデザインの情報が、幹事ユーザの端末装置１４から取得される（ステップS3）。
【０１２１】
続いて、図１６に示すように、寄せ書きデザイン設定部３４により、フォトブックの寄せ書きページのデザインを設定する画面が、幹事ユーザの端末装置１４の画像表示部６８に表示される。
【０１２２】
幹事ユーザは、寄せ書きページのデザインを設定する画面において、指示入力部７０を介して、１以上の寄せ書きのデザイン、図１６の例では、９件の寄せ書きのデザインの中から、１つの寄せ書きのデザインを選択して設定する。
【０１２３】
寄せ書きページのデザインが設定された後、「次へ」のボタンが押されると、寄せ書きデザイン設定部３４により、幹事ユーザによって設定された寄せ書きページのデザインの情報が、幹事ユーザの端末装置１４から取得される（ステップS4）。
【０１２４】
続いて、図１７に示すように、日程設定部３６により、画像および寄せ書きメッセージの募集締切日を設定する画面が、幹事ユーザの端末装置１４の画像表示部６８に表示される。
【０１２５】
幹事ユーザは、画像および寄せ書きメッセージの募集締切日を設定する画面において、指示入力部７０を介して、画像および寄せ書きメッセージの募集締切日を設定する。図１７の例では、プルダウンメニューによって、現在の日付から一定期間内の日付の一覧があらかじめ登録されている。幹事ユーザは、プルダウンメニューに登録されている日付の一覧の中から１つの日付、例えば、１２月２日を募集締切日として選択して設定する。
【０１２６】
画像および寄せ書きメッセージの募集締切日が設定された後、「次へ」のボタンが押されると、日程設定部３６により、幹事ユーザによって設定された画像および寄せ書きメッセージの募集締切日の情報が、幹事ユーザの端末装置１４から取得される（ステップS5）。
【０１２７】
続いて、図１８に示すように、日程設定部３６により、合成画像の作成期間を設定する画面が、幹事ユーザの端末装置１４の画像表示部６８に表示される。
【０１２８】
幹事ユーザは、合成画像の作成期間を設定する画面において、指示入力部７０を介して、合成画像の作成期間を設定する。図１８の例では、プルダウンメニューによって、画像および寄せ書きメッセージの募集の期間の締切日から３０日以内の日付の一覧があらかじめ登録されている。幹事ユーザは、プルダウンメニューに登録されている日付の一覧の中から１つの日付、例えば、１２月４日を選択することによって１２月２日〜４日を作成期間として設定する。
【０１２９】
合成画像の作成期間が設定された後、「次へ」のボタンが押されると、日程設定部３６により、幹事ユーザによって設定された合成画像の作成期間の情報が、幹事ユーザの端末装置１４から取得される（ステップS5）。
【０１３０】
続いて、図１９に示すように、日程設定部３６により、画像商品の配送日を設定する画面が、幹事ユーザの端末装置１４の画像表示部６８に表示される。
【０１３１】
画像商品の配送日は、日程設定部３６により、合成画像の作成期間の締切日から一定の期間の後の日付、図１９の例では、合成画像の作成期間の最終日である１２月４日から１６日後の１２月２０日に自動で設定される。
【０１３２】
幹事ユーザは、画像商品の配送日を設定する画面において、指示入力部７０を介して、画像商品の配送日を変更することができる。図１９の例では、例えば、追加料金を支払って、特急仕上げを指定することによって、画像商品の配送日を１２月２０日よりも前の日付に設定することができる。
【０１３３】
画像商品の配送日が設定された後、「次へ」のボタンが押されると、日程設定部３６により、画像商品の配送日の情報が取得される（ステップS5）。
【０１３４】
複数のユーザの端末装置１４から送信された複数の画像を用いて合成画像を作成する場合、期限管理が難しいが、画像処理装置１０では、期限管理を行うことができるため、幹事ユーザの負担を軽減することができる。
【０１３５】
続いて、図２０に示すように、設定保存部３８により、画像商材および日程の情報を確認する画面が、幹事ユーザの端末装置１４の画像表示部６８に表示される。
【０１３６】
幹事ユーザは、画像商材および日程の情報を確認する画面において、画像商材および日程の情報を確認し、その設定でよい場合には、「保存／ログイン」のボタンを押して次の画面へ進み、設定を変更したい場合には、「＜」のボタンを押して前の画面に戻る。
【０１３７】
「保存／ログイン」のボタンが押されると、図２１に示すように、設定保存部３８により、幹事ユーザが画像処理装置１０へログインするためのアカウント情報を入力する画面が、幹事ユーザの端末装置１４の画像表示部６８に表示される。
【０１３８】
幹事ユーザは、画像処理装置１０にログインするためのアカウント情報として、指示入力部７０を介して、幹事ユーザのメールアドレスおよび幹事パスワードを入力する。幹事ユーザが既に画像処理装置１０への会員登録を済ませている場合には、「ログイン」のボタンを押す。また、会員登録後に幹事パスワードを忘れた場合には、「パスワード忘れ」のボタンを押すことによって幹事パスワードを回復するための処理を行う。
【０１３９】
「ログイン」のボタンが押されると、アカウント情報保存部４０により、既に保存されているアカウント情報と、幹事ユーザによって入力されたアカウント情報とが比較され、両者が一致した場合に、幹事ユーザは画像処理装置１０にログインすることができる。
【０１４０】
一方、まだ会員登録を済ませていない場合には、「新規会員登録」のボタンを押すことによって新規に会員登録を行うための処理を行う。「新規会員登録」のボタンが押されると、アカウント情報保存部４０により、幹事ユーザによって入力されたメールアドレスおよび幹事パスワードが取得され、幹事ユーザのアカウント情報として保存される。幹事ユーザの端末装置１４は、会員登録の完了後、画像処理装置１０へログインすることができる。
【０１４１】
続いて、設定保存部３８により、商材取得部３０によって取得された画像商材、および、日程設定部３６によって取得された日程の情報が保存される。
【０１４２】
続いて、図２２に示すように、設定保存部３８により、幹事ユーザのログインと、画像商材および日程の情報の保存とが完了したことを表す画面が、幹事ユーザの端末装置１４の画像表示部６８に表示される。
【０１４３】
続いて、管理画面情報送付部４２により、管理画面にアクセスするためのURLを含むメッセージが送付される。また、このメッセージには、画像商材および日程の情報が保存されたことを表す通知が含まれている。
【０１４４】
また、図２２の例では、幹事ユーザだけでなく、指示入力部７０を介して、幹事ユーザ以外の参加ユーザのメールアドレスを入力することによって、幹事ユーザ以外の参加ユーザ、例えば、幹事ユーザの代理を務める副幹事ユーザのメールアドレス等にも、管理画面にアクセスするためのURLを含むメッセージを送付することができる。
【０１４５】
続いて、「次へ」のボタンが押されると、図２３に示すように、アップロード催促部４４により、参加ユーザの端末装置１４へ送付する招待状を作成するための画面が、幹事ユーザの端末装置１４の画像表示部６８に表示される。
【０１４６】
幹事ユーザは、招待状を作成するための画面において、指示入力部７０を介して、招待状に含めるメッセージを一定文字以内、図２３の例では、１５０文字以内で入力する。また、図２３の例では、「みんなの写真とメッセージでフォトブックを贈ろうよ！」という初期メッセージが自動で入力されている。これにより、幹事ユーザがメッセージを入力する手間を省くことができる。幹事ユーザは、初期メッセージをそのまま使用してもよいし、他のメッセージを入力してもよい。
【０１４７】
「次へ」のボタンが押されると、アップロード催促部４４により、招待状に含めるメッセージの情報が取得され、招待状が作成される（ステップS6）。
【０１４８】
続いて、図２４に示すように、アップロード催促部４４により、招待状の内容を確認するための画面が、幹事ユーザの端末装置１４の画像表示部６８に表示される。
【０１４９】
幹事ユーザは、招待状の内容を確認するための画面において、招待状の内容を確認し、その内容でよい場合には、「招待状送付画面へ」のボタンを押して次の画面へ進み、内容を変更したい場合には、「＜」のボタンを押して前の画面に戻る。
【０１５０】
「招待状送付画面へ」のボタンが押されると、図２５に示すように、アップロード催促部４４により、招待状を参加ユーザの端末装置１４へ送付するための画面が、幹事ユーザの端末装置１４の画像表示部６８に表示される。
【０１５１】
幹事ユーザは、招待状を送付するための画面において、指示入力部７０を介して、招待状を送付する手段として、図２５の例では、SNSのメッセージまたは電子メールを選択する。招待状は、「SNS」のボタンが押された場合、SNSのメッセージとして参加ユーザのSNSのアカウントに送付され、「メール」のボタンが押された場合、電子メールによって参加ユーザのメールアドレスに送付される。
【０１５２】
幹事ユーザは、合成画像の作成に関わる全ての参加ユーザに対して招待状を送付してもよいし、一部の参加ユーザのみに対して招待状を送付してもよい。
【０１５３】
SNSのメッセージまたは電子メールには、招待状の他、合成画像で使用される画像、画像の評価情報、寄せ書きメッセージ等を参加ユーザがアップロードする画面にアクセスするための招待用URL、および、共通パスワード、図２５の例では、「５８６５」が含まれている。
【０１５４】
「次へ」のボタンが押されると、アップロード催促部４４により、招待状が参加ユーザの端末装置１４に送付される（ステップS7）。
【０１５５】
参加ユーザは、招待状を参加ユーザの端末装置１４において受け取り、指示入力部７０を介して、招待用URLで示されるウェブサイトにアクセスする。
【０１５６】
招待用URLで示されるウェブサイトにアクセスすると、図２６に示すように、アップロード催促部４４により、受け取った招待状を表す画面が、参加ユーザの端末装置１４の画像表示部６８に表示される（ステップS8）。
【０１５７】
招待状には、幹事ユーザからのメッセージの他、参加ユーザへの要望として、合成画像において使用する画像および寄せ書きメッセージをアップロードすること、および、その募集締切日等の情報、本実施形態の場合、１２月２日（水）の２３：５９が表示される。
【０１５８】
参加ユーザは、招待状を表す画面を閲覧して、幹事ユーザから参加ユーザへの要望が、フォトブックにする画像および寄せ書きメッセージのアップロードであり、その募集締切日が、１２月２日であることを理解する。
【０１５９】
続いて、「利用規約に同意する」のチェックボックスがチェックされ、「次へ」のボタンが押されると、図２７に示すように、アカウント情報保存部４０により、合成画像において使用される画像、画像の評価情報、寄せ書きメッセージ等を参加ユーザがアップロードする画面にアクセスするための共通パスワードを入力するための画面が、参加ユーザの端末装置１４の画像表示部６８に表示される。
【０１６０】
参加ユーザは、共通パスワードを入力するための画面において、指示入力部７０を介して、受け取った招待状に含まれている共通パスワード、図２７の例では、「５８６５」を入力する。
【０１６１】
共通パスワードが入力され、「次へ」のバタンが押されると、図２８に示すように、アカウント情報保存部４０により、新規な参加ユーザを登録するための画面が、参加ユーザの端末装置１４の画像表示部６８に表示される。
【０１６２】
新規な参加ユーザを登録するための画面には、既に参加ユーザとして登録済みのユーザ（現在の参加メンバー）の名前が表示される。登録済みの参加ユーザの名前を表示することは必須ではない。しかし、登録済みの参加ユーザの名前を表示することによって、ユーザが新規に参加ユーザとして登録する場合に、自分が知っている名前が登録済みの参加ユーザの名前の中にあれば、安心して登録を行うことができる。
【０１６３】
参加ユーザは、まだ参加ユーザとして画像処理装置１０に登録していない場合、「新規登録」のボタンを押し、既に参加ユーザとして登録済みの場合には、「内容修正」のボタンを押す。
【０１６４】
「新規登録」のボタンが押されると、図２９に示すように、アカウント情報保存部４０により、参加ユーザとして登録する名前および個別パスワード（図２９では「秘密のコトバ」と表示される）を登録するための画面が、参加ユーザの端末装置１４の画像表示部６８に表示される。
【０１６５】
参加ユーザは、指示入力部７０を介して、名前として本名またはニックネームを入力し、秘密のコトバとして任意の文字列を入力する。
【０１６６】
参加ユーザの名前および秘密のコトバは、参加ユーザのアカウント情報となるものである。参加ユーザは、図２８に示すように、新規な参加ユーザを登録するための画面において、「内容修正」のボタンを押し、既に登録済みの名前および秘密のコトバを入力することによって、既にアップロードした画像、画像の評価情報、寄せ書きメッセージ等を修正することができる。
【０１６７】
参加ユーザの名前および秘密のコトバが入力され、「次へ」のボタンが押されると、アカウント情報保存部４０により、その参加ユーザの名前および秘密のコトバが取得され、参加ユーザのアカウント情報として保存される。
【０１６８】
続いて、図３０に示すように、画像取得部４６により、参加ユーザがアップロードする画像を選択するための画面が、参加ユーザの端末装置１４の画像表示部６８に表示される。
【０１６９】
参加ユーザは、アップロードする画像を選択するための画面において、「画像追加」のボタンを押すことによって、アップロードする画像を選択することができる。アップロードする画像を選択するための画面には、参加ユーザによって選択された画像の枚数が表示される。
【０１７０】
アップロードする画像が選択された後、「次へ」のボタンが押されると、画像取得部４６により、参加ユーザからアップロードされた画像、つまり、参加ユーザの端末装置１４から投稿された画像が取得される（ステップS9）。このように、画像取得部４６は、２以上の参加ユーザの端末装置１４から送信された複数の画像を取得する。また、画像取得部４６によって画像が取得される毎に、画像解析部５８により画像の解析が行われ、評価値算出部６０により、画像の解析結果に基づいて画像の解析評価値が算出される（ステップS10）。
【０１７１】
続いて、図３１に示すように、評価情報取得部４８により、２以上の参加ユーザの端末装置１４から送信された複数の画像の各々を評価するための画面が、参加ユーザの端末装置１４の画像表示部６８に表示される。
【０１７２】
参加ユーザは、各々の画像を評価するための画面において、指示入力部７０を介して、各々の画像に対して高評価または低評価を表す評価情報を付与することができる。例えば、参加ユーザは、各々の画像を閲覧し、自分が好きな画像に対して、「いいね」のボタンを押すことによって高評価を表す評価情報を付与し、嫌いな画像に対して、「いまいち」のボタンを押すことによって低評価を表す評価情報を付与することができる。
【０１７３】
各々の参加ユーザの端末装置１４から各々の画像に対して高評価および低評価を表す評価情報が付与されると、評価情報取得部４８により、各々の画像に対して付与された高評価および低評価を表す評価情報が、参加ユーザの端末装置１４から取得される（ステップS11）。
【０１７４】
評価情報が付与された後、「次へ」のボタンが押されると、図３２に示すように、メッセージ取得部５０により、寄せ書きページがフォトブックの巻末に入ることを通知する画面が、参加ユーザの端末装置１４の画像表示部６８に表示される。
【０１７５】
参加ユーザは、寄せ書きページがフォトブックの巻末に入ることを通知する画面を閲覧して確認する。
【０１７６】
続いて、「次へ」のボタンが押されると、図３３に示すように、メッセージ取得部５０により、寄せ書きページにおいて使用する参加ユーザのプロフィール画像を設定するための画面が、参加ユーザの端末装置１４の画像表示部６８に表示される。
【０１７７】
参加ユーザは、プロフィール画像を設定するための画面を押すことによって、参加ユーザが参加ユーザの端末装置１４において所有する画像の中からプロフィール画像として使用する画像を選択して設定することができる。また、参加ユーザは、「削除」のボタンを押すことによって、既に設定したプロフィール画像を削除し、再度、プロフィール画像を設定し直すことができる。
【０１７８】
参加ユーザがプロフィール画像を設定した後、「次へ」のボタンが押されると、画像取得部４６により、参加ユーザによって設定されたプロフィール画像が、参加ユーザの端末装置１４から取得される（ステップS12）。
【０１７９】
続いて、図３４に示すように、メッセージ取得部５０により、寄せ書きメッセージを入力するための画面が、参加ユーザの端末装置１４の画像表示部６８に表示される。
【０１８０】
参加ユーザは、寄せ書きメッセージを入力するための画面において、指示入力部７０を介して、寄せ書きページに含めるメッセージを１５０文字以内で入力する。図３４の例では、「結婚おめでとう。  …  幸せになってください。」という初期メッセージが自動で入力されている。これにより、参加ユーザがメッセージを入力する手間を省くことができる。参加ユーザは、初期メッセージをそのまま使用してもよいし、他のメッセージを入力してもよい。
【０１８１】
また、参加ユーザは、寄せ書きメッセージを入力するための画面において、「他の人の寄せ書きを見る」のボタンを押すことによって、他の参加ユーザが既にアップロードした寄せ書きメッセージを閲覧することができる。
【０１８２】
参加ユーザが寄せ書きメッセージを入力した後、「入力完了」のボタンが押されると、図３５に示すように、メッセージ取得部５０により、参加ユーザが入力した寄せ書きメッセージを確認するための画面が、参加ユーザの端末装置１４の画像表示部６８に表示される。
【０１８３】
参加ユーザは、寄せ書きメッセージを確認する画面において、寄せ書きメッセージを閲覧して確認し、そのメッセージでよい場合には、「投稿する」のボタンを押して次の画面へ進み、メッセージを変更したい場合には、「＜」のボタンを押して前の画面に戻る。
【０１８４】
「投稿する」のボタンが押されると、メッセージ取得部５０により、参加ユーザから投稿された寄せ書きメッセージ、つまり、参加ユーザの端末装置１４からアップロードされた寄せ書きメッセージが取得される（ステップS13）。
【０１８５】
このように、複数のユーザの画像を用いてフォトブック等の合成画像を作成する場合に、フォトブックの本編ページだけでなく、寄せ書きページを含めることによって、フォトブックの受取人に対する各々の参加ユーザの気持ちを寄せ書きメッセージとして伝えることができる。
【０１８６】
続いて、図３６に示すように、寄せ書きメッセージの投稿が完了したことを表す画面が、参加ユーザの端末装置１４の画像表示部６８に表示される。
【０１８７】
続いて、「完了」のボタンが押されると、画像、画像の評価情報および寄せ書きメッセージのアップロードは完了する。
【０１８８】
続いて、日程設定部３６により、画像および寄せ書きメッセージの募集締切日を過ぎたことが検出されると、画像数算出部５２により、画像取得部４６によって取得された画像の数が算出される（ステップS14）。また、評価数算出部５４により、評価情報取得部４８によって取得された高評価および低評価を表す評価情報の数が算出され（ステップS15）、メッセージ数算出部５６により、メッセージ取得部５０によって取得された寄せ書きメッセージの数が算出される（ステップS16）。
【０１８９】
続いて、評価値算出部６０により、各々の画像に対する高評価および低評価を表す評価情報、例えば、評価情報の数に基づいて、各々の画像の解析評価値に対して値が加減算されて、各々の画像の総合評価値が算出される（ステップS18）。
【０１９０】
前述のように、画像が取得される毎に、画像を解析して、その解析評価値を算出することは必須ではない。しかし、画像が取得される毎に、画像を解析して、その解析評価値を算出しておくことにより、全ての画像を取得した後に画像をまとめて解析して解析評価値を算出する場合と比べて、画像の総合評価値を短時間で算出することができ、その結果、合成画像の作成にかかる時間を短縮することができる。
【０１９１】
続いて、幹事ユーザは、幹事ユーザの端末装置１４において、指示入力部７０を介して、合成画像作成部２６に対して合成画像の作成を指示する。
【０１９２】
合成画像作成部２６に対して合成画像の作成が指示されると、表紙作成部６２により、表紙ページのデザインの情報に対応するデザインであり、幹事ユーザによって設定されたタイトルが記載され、幹事ユーザによって設定された色の表紙ページが作成される（ステップS19）。
【０１９３】
続いて、ページ数設定部７２により、招待状が送付された参加ユーザの数、および、１ページの寄せ書きページに配置する寄せ書きメッセージの上限数に応じて、フォトブックの寄せ書きページのページ数が設定される。また、設定保存部３８に保存された商材の情報、および、寄せ書きページのページ数に応じて、本編ページのページ数が設定される。
【０１９４】
続いて、本編作成部６４により、画像取得部４６によって取得された複数の画像のうちの少なくとも１つの画像を用いて、ページ数設定部７２によって設定されたページ数の本編ページが作成される（ステップS20）。
【０１９５】
本編作成部６４では、画像分割部７８により、画像取得部４６によって取得された複数の画像が、ページ数設定部７２によって設定された本編ページのページ数に対応する複数のグループに分割される。
【０１９６】
続いて、画像抽出部８０により、画像のグループ毎に、画像の総合評価値に基づいて、例えば、総合評価値が最も高い画像から順に、グループに含まれる画像の中から、本編ページにおいて使用する複数の合成対象画像が抽出される。
【０１９７】
続いて、画像配置部８２により、画像のグループ毎に、画像の総合評価値に基づいて、各々の合成対象画像のサイズおよび本編ページにおける配置位置が決定され、合成対象画像が、各々対応する本編ページに配置される。例えば、本編ページに配置される複数の合成対象画像のうち、総合評価値が最も高い合成対象画像が、他の合成対象画像よりも大きいサイズで、そのページの中央位置に配置される。
【０１９８】
続いて、寄せ書き作成部６６により、参加ユーザのプロフィール画像および寄せ書きメッセージを用いて、寄せ書きページのデザインの情報に対応するデザインであり、ページ数設定部７２によって設定されたページ数の寄せ書きページが作成される（ステップS21）。
【０１９９】
寄せ書き作成部６６では、メッセージ分割部８６により、メッセージ取得部５０によって取得された寄せ書きメッセージが、ページ数設定部７２によって設定された寄せ書きページのページ数に対応する数のグループに分割される。
【０２００】
続いて、メッセージ配置部８８により、寄せ書きメッセージのグループ毎に、例えば、グループに含まれる寄せ書きメッセージと対応する参加ユーザのプロフィール画像とが組み合わされて、寄せ書きメッセージのグループに対応するページの寄せ書きページに配置されて寄せ書きページが作成される。各々の寄せ書きページにおいて、寄せ書きメッセージは、例えば、寄せ書きメッセージがアップロードされた順序で順次配置される。
【０２０１】
上記のように、表紙作成部６２、本編作成部６４および寄せ書き作成部６６によって、２以上の参加ユーザの端末装置１４から取得された複数の画像、参加ユーザのプロフィール画像および寄せ書きメッセージを用いて、それぞれ、表紙ページのデザインの情報に対応する表紙ページ、本編ページ、および、寄せ書きページのデザインの情報に対応する寄せ書きページを含むフォトブックが自動で作成される。
【０２０２】
画像処理装置１０では、本編ページだけでなく、寄せ書きページを含むフォトブック等の合成画像を作成することができる。また、画像の総合評価値に基づいて、本編ページにおいて使用する画像の他、各々の画像のサイズおよび本編ページにおける配置位置等を決定することによって、画像の良し悪しだけでなく、複数の参加ユーザの好みを反映した合成画像を作成することができる。
【０２０３】
なお、ページ数設定部７２は、寄せ書きメッセージの募集締切日が過ぎた後に、メッセージ数算出部５６によって算出された寄せ書きメッセージの数に応じて、招待状が送付された参加ユーザの数、および、１ページの寄せ書きページに配置する寄せ書きメッセージの上限数に応じて設定した寄せ書きページのページ数を加減算して、寄せ書きページのページ数を変更してもよい。
【０２０４】
本実施形態の場合、画像商材のページ数は、本編ページおよび寄せ書きページを含むページ数であり、ページ数設定部７２は、寄せ書きページのページ数を変更する場合、寄せ書きページのページ数に応じて、本編ページのページ数も変更する。
【０２０５】
例えば、ページ数設定部７２は、メッセージ数算出部５６によって算出された寄せ書きメッセージの数が、設定したページ数の寄せ書きページにおいて使用する寄せ書きメッセージの上限数を超える場合に、メッセージ数算出部５６によって算出された寄せ書きメッセージの数に応じて、ページ数設定部７２自身が設定した寄せ書きページのページ数を増やし、その分だけ本編ページのページ数を減らしてもよい。
【０２０６】
例えば、招待状が送付された参加ユーザから寄せ書きメッセージを取得するだけでなく、招待状が送付されていない参加ユーザ、参加ユーザの友人等から寄せ書きメッセージを取得してもよい。この場合、メッセージ数算出部５６によって算出された寄せ書きメッセージの数が、設定したページ数の寄せ書きページにおいて使用する寄せ書きメッセージの上限数を超えることがある。
【０２０７】
一方、ページ数設定部７２は、メッセージ数算出部５６によって算出された寄せ書きメッセージの数が、設定したページ数の寄せ書きページにおいて使用する寄せ書きメッセージの閾値未満であり、かつ、寄せ書きページのページ数が２以上である場合に、メッセージ数算出部５６によって算出された寄せ書きメッセージの数に応じて、ページ数設定部７２自身が設定した寄せ書きページのページ数を減らし、その分だけ本編ページのページ数を増やしてもよい。
【０２０８】
なお、本編ページおよび寄せ書きページのページ数を増減する前に、ページ数を増減することを幹事ユーザに警告する警告情報を、幹事ユーザの端末装置１４に対して送付してもよい。
【０２０９】
また、画像数算出部５２によって算出された画像の数が、ページ数設定部７２によって設定されたページ数の本編ページにおいて使用する画像の下限数未満または上限数を超える場合、リコメンド部７４により、幹事ユーザの端末装置１４に対して、予算の情報に対応する１以上の画像商材の中から、画像数算出部５２によって算出された画像の数に応じて、設定保存部３８に保存された商材の情報、つまり、幹事ユーザによって設定された１つの画像商材とは異なる画像商材を提案してもよい。
【０２１０】
画像数算出部５２によって算出された画像の数が、ページ数設定部７２によって設定されたページ数の本編ページにおいて使用する画像の下限数未満である場合、リコメンド部７４は、例えば、幹事ユーザによって設定された１つの画像商材よりもサイズが小さい画像商材およびページ数が少ない画像商材のうちの少なくとも一方を提案することができる。
【０２１１】
一方、画像数算出部５２によって算出された画像の数が、ページ数設定部７２によって設定されたページ数の本編ページにおいて使用する画像の上限数を超える場合に、リコメンド部７４は、例えば、幹事ユーザによって設定された１つの画像商材よりもサイズが大きい画像商材およびページ数が多い画像商材のうちの少なくとも一方を提案することができる。
【０２１２】
また、本編作成部６４は、画像数算出部５２によって算出された画像の数が、ページ数設定部７２によって設定されたページ数の本編ページにおいて使用する画像の下限数未満である場合、本編ページ、つまり、フォトブックの作成を中止してもよい。
【０２１３】
あるいは、トリミング部８４により、画像取得部４６によって取得された画像をトリミングして加工画像を作成し、画像取得部４６によって取得された画像、および、トリミング部８４によって作成された加工画像を使用して本編ページを作成してもよい。
【０２１４】
また、リクエスト部７６により、参加ユーザの端末装置１４に対して、合成画像において使用する追加の画像、および、合成画像において使用する各々の画像に付与するコメントのうちの少なくとも一方をリクエストし、画像取得部４６によって取得された画像と、リクエスト部７６によってリクエストされた追加の画像およびコメントのうちの少なくとも一方とを使用して本編ページを作成してもよい。
【０２１５】
また、新たに画像の募集締切日を設定し、ページ数設定部７２によって設定されたページ数の本編ページを作成するために必要な数の画像を取得してもよい。
【０２１６】
また、寄せ書き作成部６６は、例えば、メッセージ数算出部５６によって算出された寄せ書きメッセージの数が、ページ数設定部７２によって設定されたページ数の寄せ書きページにおいて使用する寄せ書きメッセージの閾値未満である場合に、メッセージ取得部５０によって取得された寄せ書きメッセージに加え、画像取得部４６によって取得された画像を用いて、寄せ書きページを作成してもよい。
【０２１７】
この場合、画像抽出部９０により、画像取得部４６によって取得された複数の画像の中から、寄せ書きページの空き領域に配置するために必要な数の画像が抽出される。例えば、総合評価値が最も高い画像から順に必要な数の画像が抽出され、メッセージ配置部８８により、寄せ書きメッセージに加え、画像抽出部９０によって抽出された画像が寄せ書きページに配置される。
【０２１８】
このように、画像処理装置１０では、寄せ書きページにおいて使用する寄せ書きメッセージの数が不足する場合に、寄せ書きメッセージだけでなく、本編ページにおいて使用する画像を用いて寄せ書きメッセージ作成することができる。これにより、本編ページおよび寄せ書きページを含むフォトブック等の合成画像において、寄せ書きメッセージの数が不足する場合であっても、見栄えのよい寄せ書きページを作成することができる。
【０２１９】
なお、１ページの寄せ書きページに配置する寄せ書きメッセージの閾値ｎｔは、１ページの寄せ書きページに配置する寄せ書きメッセージの数がこの閾値未満になると、寄せ書きメッセージに加えて画像配置を行うための閾値となるものである。これとは別に、画像配置を行う前提であっても、これ未満になると寄せ書きメッセージを配置しない、つまり、１ページの寄せ書きページに配置する寄せ書きメッセージの下限値ｎｌを設けてもよい。
【０２２０】
例えば、１ページの寄せ書きページに配置する寄せ書きメッセージの閾値ｎｔを６、１ページの寄せ書きページに配置する寄せ書きメッセージの下限値ｎｌを２とした場合、１ページの寄せ書きページに配置する寄せ書きメッセージの数が６以上であれば、寄せ書きメッセージのみが配置され、１ページの寄せ書きページに配置する寄せ書きメッセージの数が２〜５であれば、寄せ書きメッセージに加えて画像が配置される。一方、１ページの寄せ書きページに配置する寄せ書きメッセージの数が１であれば、寄せ書きページは作成されない。
【０２２１】
このように、１ページの寄せ書きページに配置する寄せ書きメッセージの下限値ｎｌを設けることにより、寄せ書きページにおける寄せ書きメッセージの数と画像の数とのバランスをとり、見栄えのよい寄せ書きページを作成することができる。
【０２２２】
また、メッセージ分割部８６は、寄せ書きメッセージを複数のグループに分割する場合に、例えば、寄せ書きメッセージを、寄せ書きページのページ数に対応する数のグループに均等に分割することができる。配置すべき寄せ書きメッセージの数が寄せ書きページのページ数で割り切れない場合には、各ページ間で１人の差が出ることはやむを得ないため、この場合も均等に分割したものとみなす。
【０２２３】
この場合、寄せ書き作成部６６は、メッセージ分割部８６によって分割されたグループに含まれる寄せ書きメッセージの数が、１ページの寄せ書きページに配置する寄せ書きメッセージの上限数未満である場合に、グループに含まれる寄せ書きメッセージに加え、同様に、画像取得部４６によって取得された画像を用いて、寄せ書きメッセージのグループに対応する寄せ書きページを作成してもよい。
【０２２４】
また、この場合、寄せ書き作成部６６は、グループに含まれる寄せ書きメッセージに加え、スタンプ、あるいは、画像取得部４６によって取得された画像およびスタンプを用いて、寄せ書きメッセージのグループに対応する寄せ書きページを作成してもよい。
【０２２５】
あるいは、メッセージ分割部８６は、寄せ書きメッセージを、各々１ページの寄せ書きページに配置する上限数の寄せ書きメッセージを含む１以上の第１グループ、および、１ページの寄せ書きページに配置する閾値以上、かつ、上限数以下の寄せ書きメッセージを含む１つの第２グループからなる、寄せ書きページのページ数に対応する数のグループに分割してもよい。
【０２２６】
例えば、１ページ目の寄せ書きページから、各々のページの寄せ書きページに対して、１ページの寄せ書きページに配置する上限数の寄せ書きメッセージを、寄せ書きメッセージがアップロードされた順序で順次割り当てる。この場合、最後のページ以外のページの寄せ書きページには、１ページの寄せ書きページに配置する上限数（例えばｎｕ＝１２）の寄せ書きメッセージが割り当てられ、最後のページの寄せ書きページには、１ページの寄せ書きページに配置する上限数以下の寄せ書きメッセージが割り当てられる。
【０２２７】
この場合、寄せ書き作成部６６は、メッセージ分割部８６によって分割された第２グループに含まれる寄せ書きメッセージの数が、１ページの寄せ書きページに配置する寄せ書きメッセージの閾値（例えばｎｔ＝８）未満である場合に、第２グループに含まれる寄せ書きメッセージに加え、同様に、画像取得部４６によって取得された画像を用いて、第２グループに対応する寄せ書きページを作成してもよい。
【０２２８】
また、この場合、寄せ書き作成部６６は、第２グループに含まれる寄せ書きメッセージ、および、画像取得部４６によって取得された画像に加え、スタンプ、あるいは、画像取得部４６によって取得された画像およびスタンプを用いて、第２グループに対応する寄せ書きページを作成してもよい。
【０２２９】
なお、メッセージ分割部８６が、寄せ書きメッセージを複数のグループに分割する場合の分割方法は特に限定されない。例えば、１ページの寄せ書きページに配置する上限数の寄せ書きメッセージを１ページ目の寄せ書きページに配置し、残りの寄せ書きメッセージを、２ページ目以降の寄せ書きページのページ数に対応する数のグループに均等に分割するなどしてもよい。
【０２３０】
また、寄せ書き作成部６６は、参加ユーザ毎に、メッセージ取得部５０によって取得された参加ユーザの寄せ書きメッセージと、これに対応する参加ユーザの顔画像および名前のうちの少なくとも一方とを組み合わせて寄せ書きページを作成してもよい。
【０２３１】
参加ユーザの顔画像は、例えば、プロフィール画像が参加ユーザの顔画像である場合には、プロフィール画像を使用してもよいし、あるいは、画像取得部４６により、各々の参加ユーザの端末装置１４から各々の参加ユーザの顔画像を取得してもよい。また、参加ユーザの名前は、例えば、アカウント情報保存部４０に保存された参加ユーザの名前を使用することができる。
【０２３２】
また、新たに寄せ書きメッセージの募集締切日を設定し、ページ数設定部７２によって設定されたページ数の寄せ書きページを作成するために必要な数の寄せ書きメッセージを取得してもよい。
【０２３３】
続いて、幹事ユーザは、幹事ユーザの端末装置１４において、自動で作成された表紙ページ、本編ページおよび寄せ書きページからなるフォトブックの各ページを閲覧する。幹事ユーザは、自動で作成されたフォトブックをそのまま採用してもよいし、各ページの内容、例えば、各ページにおいて使用する画像、画像のサイズ、画像および寄せ書きメッセージの配置位置等を編集してもよい。また、コメントの追加、スタンプ画像の追加、各ページの背景の種類および色の変更等を行うことができる。
【０２３４】
幹事ユーザは、日程設定部３６によって設定された合成画像の作成期間内、本実施形態の場合、１２月４日までにフォトブックの作成を完了し、作成を完了したフォトブックの内容で画像商品を注文する（ステップS22）。幹事ユーザが注文する画像商品には、紙媒体のフォトブックおよび電子データのフォトブックの少なくとも一方が含まれる。
【０２３５】
画像商品が注文されると、注文された画像商品のフォトブックが作成され、日程設定部３６によって設定された画像商品の配送日、本実施形態の場合、１２月２０日までに配送先へ送付される（ステップS23）。紙媒体のフォトブックの場合には、例えば、紙媒体のフォトブックが配送先へ送付され、電子データのフォトブックの場合には、例えば、電子データのフォトブック、あるいは電子データをダウンロードするためのURL等が配送先のメールアドレスへ送付される。
【０２３６】
以上のように、画像処理装置１０では、複数の参加ユーザの端末装置１４から取得された複数の画像および寄せ書きメッセージを用いて、寄せ書きページを含むフォトブック等の合成画像を作成することができる。
【０２３７】
なお、幹事ユーザだけが合成画像を作成することは必須ではなく、合成画像の作成に関わる複数のユーザが共同で合成画像を作成してもよいし、複数のユーザのうちの少なくとも一人のユーザが合成画像を作成してもよい。
【０２３８】
画像処理装置１０を構成する各部位の具体的な構成は特に限定されず、同様の機能を果たすことができる各種構成のものを利用することができる。
また、上記実施形態では、サーバ１２が情報設定部１８、情報管理部２０、データ取得部２２、データ解析部２４および合成画像作成部２６を備えているが、これらのうちの少なくとも１つをユーザの端末装置１４が備えていてもよい。
【０２３９】
本発明の装置は、装置が備える各々の構成要素を専用のハードウェアで構成してもよいし、各々の構成要素をプログラムされたコンピュータで構成してもよい。
本発明の方法は、例えば、その各々のステップをコンピュータに実行させるためのプログラムにより実施することができる。また、このプログラムが記録されたコンピュータ読み取り可能な記録媒体を提供することもできる。
【０２４０】
以上、本発明について詳細に説明したが、本発明は上記実施形態に限定されず、本発明の主旨を逸脱しない範囲において、種々の改良や変更をしてもよいのはもちろんである。
【符号の説明】
【０２４１】
１０  画像処理装置
１２  サーバ
１４  端末装置（クライアント）
１６  ネットワーク
１８  情報設定部
２０  情報管理部
２２  データ取得部
２４  データ解析部
２６  合成画像作成部
２８  予算設定部
３０  商材取得部
３２  表紙デザイン設定部
３４  寄せ書きデザイン設定部
３６  日程設定部
３８  設定保存部
４０  アカウント情報保存部
４２  管理画面情報送付部
４４  アップロード催促部
４６  画像取得部
４８  評価情報取得部
５０  メッセージ取得部
５２  画像数算出部
５４  評価数算出部
５６  メッセージ数算出部
５８  画像解析部
６０  評価値算出部
６２  表紙作成部
６４  本編作成部
６６  寄せ書き作成部
６８  画像表示部
７０  指示入力部
７２  ページ数設定部
７４  リコメンド部
７６  リクエスト部
７８  画像分割部
８０、９０  画像抽出部
８２  画像配置部
８４  トリミング部
８６  メッセージ分割部
８８  メッセージ配置部
【図１】
0006502272.tif 000002
【図２】
0006502272.tif 000003
【図３】
0006502272.tif 000004
【図４】
0006502272.tif 000005
【図５】
0006502272.tif 000006
【図６】
0006502272.tif 000007
【図７】
0006502272.tif 000008
【図８】
0006502272.tif 000009
【図９】
0006502272.tif 000010
【図１０】
0006502272.tif 000011
【図１１】
0006502272.tif 000012
【図１２】
0006502272.tif 000013
【図１３】
0006502272.tif 000014
【図１４】
0006502272.tif 000015
【図１５】
0006502272.tif 000016
【図１６】
0006502272.tif 000017
【図１７】
0006502272.tif 000018
【図１８】
0006502272.tif 000019
【図１９】
0006502272.tif 000020
【図２０】
0006502272.tif 000021
【図２１】
0006502272.tif 000022
【図２２】
0006502272.tif 000023
【図２３】
0006502272.tif 000024
【図２４】
0006502272.tif 000025
【図２５】
0006502272.tif 000026
【図２６】
0006502272.tif 000027
【図２７】
0006502272.tif 000028
【図２８】
0006502272.tif 000029
【図２９】
0006502272.tif 000030
【図３０】
0006502272.tif 000031
【図３１】
0006502272.tif 000032
【図３２】
0006502272.tif 000033
【図３３】
0006502272.tif 000034
【図３４】
0006502272.tif 000035
【図３５】
0006502272.tif 000036
【図３６】
0006502272.tif 000037